【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
伝送端子と、
前記伝送端子に結合されるトランスミッタと、
補償器と、
を含む装置であって、
前記補償器が、
前記伝送端子に結合され、遅延において電流を供給する反射相殺ドライバと、
前記伝送端子に結合される反射センサと、
前記反射相殺ドライバと前記反射センサとに結合されるプリドライバと、
を有し、
キャリブレーションモードにおいて補償遅延を判定するために前記プリドライバが前記遅延を反復的に調節し、前記補償遅延において供給された電流が前記伝送端子により受信される反射電流を実質的に補償し、
前記トランスミッタが、前記プリドライバと、前記プリドライバと前記伝送端子との間に結合される伝送ドライバとを更に含み、
前記反射相殺ドライバが、前記伝送端子に結合される第１の調節可能な電流源と、前記伝送端子に結合される第２の調節可能な電流源とを更に含み、前記第１及び第２の調節可能な電流源が前記プリドライバにより制御され、
前記伝送端子が第１の伝送端子と第２の伝送端子とを更に含み、
前記伝送ドライバが、前記第１の伝送端子に結合される第１の伝送ドライバと、前記第２の伝送端子に結合される第２の伝送ドライバとを更に含み、
前記反射相殺ドライバが、前記第１の伝送端子に結合される第１の反射相殺ドライバと、前記第２の伝送端子に結合される第２の反射相殺ドライバとを更に含み、
前記反射センサが、前記第１及び第２の伝送端子を介して結合される差動増幅器と、前記差動増幅器と前記プリドライバとの間に結合されるアナログデジタルコンバータ（ＡＤＣ）と、前記差動増幅器と前記ＡＤＣとの間に結合されるサンプリング回路と、前記プリドライバと前記サンプリング回路との間に結合されるロジックとを更に含み、
前記ロジックが、前記プリドライバに結合される遅延回路と、前記遅延回路と前記プリドライバと前記サンプリング回路とに結合されるロジックゲートとを更に含み、
前記サンプリング回路が、前記差動増幅器と前記ＡＤＣとの間に結合されるスイッチと、前記スイッチ及び前記ＡＤＣに結合されるキャパシタとを更に含む、装置。
【請求項２】
伝送端子と、
前記伝送端子に結合されるトランスミッタと、
補償器と、
を含む装置であって、
前記補償器が、
前記伝送端子に結合され、遅延において電流を供給する反射相殺ドライバと、
前記伝送端子に結合される反射センサと、
前記反射相殺ドライバと前記反射センサとに結合されるプリドライバと、
を有し、
キャリブレーションモードにおいて補償遅延を判定するために前記プリドライバが前記遅延を反復的に調節し、前記補償遅延において供給された電流が前記伝送端子により受信される反射電流を実質的に補償し、
前記トランスミッタが、前記プリドライバと、前記プリドライバと前記伝送端子との間に結合される伝送ドライバとを更に含み、
前記反射相殺ドライバが、前記伝送端子に結合される第１の調節可能な電流源と、前記伝送端子に結合される第２の調節可能な電流源とを更に含み、前記第１及び第２の調節可能な電流源が前記プリドライバにより制御され、
前記伝送端子が第１の伝送端子と第２の伝送端子とを更に含み、
前記伝送ドライバが、前記第１の伝送端子に結合される第１の伝送ドライバと、前記第２の伝送端子に結合される第２の伝送ドライバとを更に含み、
前記反射相殺ドライバが、前記第１の伝送端子に結合される第１の反射相殺ドライバと、前記第２の伝送端子に結合される第２の反射相殺ドライバとを更に含み、
前記反射センサが、前記第１及び第２の伝送端子を介して結合される差動増幅器と、前記差動増幅器と前記プリドライバとの間に結合されるアナログデジタルコンバータ（ＡＤＣ）と、前記差動増幅器と前記ＡＤＣとの間に結合されるサンプリング回路とを更に含み、
前記サンプリング回路が、第３の調節可能な電流源と、前記第３の調節可能な電流源に結合されるキャパシタとを更に含む、装置。
【請求項３】
請求項２に記載の装置であって、
反射センサが、前記差動増幅器と前記第３の調節可能な電流源との間に結合されるコンパレータを更に含む、装置。
【請求項４】
磁気ヘッドと、
前記磁気ヘッドに結合される相互接続と、
書き込みドライバと、
を含む装置であって、
前記書き込みドライバが、
プリドライバと、
前記相互接続と前記プリドライバとに結合される第１の伝送端子と、
前記相互接続と前記プリドライバとに結合される第２の伝送端子と、
前記第１の伝送端子に結合される第１の調節可能な電流源と、
前記第１の伝送端子に結合される第２の調節可能な電流源と、
前記第２の伝送端子に結合される第３の調節可能な電流源と、
前記第２の伝送端子に結合される第４の調節可能な電流源と、
前記第１及び第２の伝送端子に結合され、遅延において電流を供給する反射相殺ドライバと、
前記第１及び第２の伝送端子に結合される反射センサと、
を有し、
前記第１、第２、第３及び第４の調節可能な電流源が前記プリドライバにより制御され、
キャリブレーションモードにおいて補償遅延を判定するため前記プリドライバが前記遅延を反復的に調節し、前記補償遅延において供給される電流が前記第１及び第２の伝送端子により受信される反射電流を実質的に補償し、
前記反射センサが、前記第１及び第２の伝送端子を介して結合される差動増幅器と、前記差動増幅器と前記プリドライバとの間に結合されるＡＤＣと、前記差動増幅器と前記ＡＤＣとの間に結合されるサンプリング回路と、前記プリドライバと前記サンプリング回路との間に結合されるロジックとを更に含み、
前記ロジックが、前記プリドライバに結合される遅延回路と、前記遅延回路と前記プリドライバと前記サンプリング回路とに結合されるロジックゲートとを更に含み、
前記サンプリング回路が、前記差動増幅器と前記ＡＤＣとの間に結合されるスイッチと、前記スイッチ及び前記ＡＤＣに結合されるキャパシタとを更に含む、装置。
【請求項５】
磁気ヘッドと、
前記磁気ヘッドに結合される相互接続と、
書き込みドライバと、
を含む装置であって、
前記書き込みドライバが、
プリドライバと、
前記相互接続と前記プリドライバとに結合される第１の伝送端子と、
前記相互接続と前記プリドライバとに結合される第２の伝送端子と、
前記第１の伝送端子に結合される第１の調節可能な電流源と、
前記第１の伝送端子に結合される第２の調節可能な電流源と、
前記第２の伝送端子に結合される第３の調節可能な電流源と、
前記第２の伝送端子に結合される第４の調節可能な電流源と、
前記第１及び第２の伝送端子に結合され、遅延において電流を供給する反射相殺ドライバと、
前記第１及び第２の伝送端子に結合される反射センサと、
を有し、
前記第１、第２、第３及び第４の調節可能な電流源が前記プリドライバにより制御され、
キャリブレーションモードにおいて補償遅延を判定するため前記プリドライバが前記遅延を反復的に調節し、前記補償遅延において供給される電流が前記第１及び第２の伝送端子により受信される反射電流を実質的に補償し、
前記反射センサが、前記第１及び第２の伝送端子を介して結合される差動増幅器と、前記差動増幅器と前記プリドライバとの間に結合されるＡＤＣと、前記差動増幅器と前記ＡＤＣとの間に結合されるサンプリング回路とを更に含み、
前記サンプリング回路が、第５の調節可能な電流源と、前記第５の調節可能な電流源に結合されるキャパシタとを更に含む、装置。
【請求項６】
請求項５に記載の装置であって、
前記反射センサが、前記差動増幅器と前記第５の調節可能な電流源との間に結合されるコンパレータを更に含む、装置。
【手続補正２】
【補正対象書類名】明細書
【補正対象項目名】発明の名称
【補正方法】変更
【補正の内容】
【発明の名称】反射相殺のための装置